(57)【要約】【課題】使用者からは相手の動きを視覚的に確認することができ、相手からは使用者の動きを視覚的に確認しにくくすることができる防護楯を提供する。【解決手段】防護盾は、合成樹脂製の盾板本体１１と、同盾板本体１１の内面に取着固定された把持部１２とを備えている。使用者は、防護盾の把持部１２を手で握り、その前方に盾板本体１１を構えることにより、盾板本体１１の外面から加えられる刃物による刺突、鈍器による殴打、投石等の攻撃から身体を保護するようになっている。盾板本体１１の外面には、ハーフミラー膜１３が貼着されている。ハーフミラー膜１３は、盾板本体１１の外面側から入射された可視光線のうち、８〜４５％を透過させ、他は全て反射する機能を有しており、使用者からは相手の動きを視覚的に確認することができ、相手からは使用者の動きを視覚的に確認しにくくすることができるようになっている。【選択図】　　　　図１
2004037033.tif 000002
【特許請求の範囲】
【請求項１】
透明な合成樹脂製の盾板本体と、同盾板本体の内面に取着固定された把持部とを備えるとともに、前記盾板本体の内面又は外面の少なくとも一部には、透明な合成樹脂製のフィルム材の一面に金属薄膜を積層して形成され、可視光線透過率が８〜４５％のハーフミラー膜を貼着したことを特徴とする防護盾。
【請求項２】
透明な合成樹脂製の盾板本体と、同盾板本体の内面に取着固定された把持部と、前記盾板本体の内面又は外面の少なくとも一部に貼着されたハーフミラー膜とを備え、同ハーフミラー膜は、透明な合成樹脂製のフィルム材の一面に金属薄膜を積層し、同金属薄膜を遮光材でマスキングしてエッチングすることにより、金属薄膜が除去されて形成された透明な光透過部と、残留する金属薄膜及び遮光材によって形成された遮光部とを有し、その可視光線透過率が８〜４５％であることを特徴とする防護盾。
【発明の詳細な説明】
【０００１】
【発明の属する技術分野】
この発明は、刃物による刺突、鈍器による殴打、投石等から使用者の身体を保護するための防護盾に関するものである。
【０００２】
【従来の技術】
従来、上記のような防護盾は、主に自衛隊、機動隊、警察等によるデモの鎮圧、要人警護等で使用されている。この防護盾は、その使用目的から、例えば銃撃、投石等のあらゆる物理的攻撃に耐え得る強度を有し、かつ耐火性、耐衝撃性及び耐薬品性が必要とされており、これを満たすため鋼、ジュラルミン等の金属で形成されている。そして、近年における犯罪の増加に伴い、銀行、郵便局等の各種金融機関、スーパー、コンビニエンスストア等の店舗等のような不特定多数の利用者が出入りする場所でも、犯罪の抑止、犯罪発生時の被害の低減等を図るため、同防護盾を利用する傾向がある。しかし、自衛隊、機動隊、警察等で使用する金属製の防護盾は大きく、さらに重量が嵩むため、一般人には取り扱いしづらく、特に力の弱い幼児や女性、老人は持つことすらままならないという問題があった。
【０００３】
そこで、上記のような一般人でも容易に取り扱うことができるような防護盾として、例えば特開２０００−３５２９８号公報に開示されているような防刃盾が提供された。すなわち、当該防刃盾は、略長方形状の板よりなる基体部（盾板本体）と、同基体部の第１の面（内面）の中央付近にボルトによって取付けられた把持部とを備えている。該防刃盾は、刃物による攻撃に対抗することと、使用者の視界を妨げず、常に暴漢（相手）の動きを視覚的に確認することを主な目的としている。従って、これら目的を満たすため、防刃盾の基体部は、刃物による攻撃に耐えられる強度を有する透明な強化プラスチックより形成されており、防刃盾が軽量なものとなっている。
【０００４】
【発明が解決しようとする課題】
ところが、上記従来の防刃盾は、使用者が相手の動きを視覚的に確認することができるように基体部が透明となっているが、相手からも使用者の行動を視覚的に確認されてしまうという問題があった。
【０００５】
この発明は、このような従来技術に存在する問題点に着目してなされたものである。その目的とするところは、使用者からは相手の動きを視覚的に確認することができ、相手からは使用者の動きを視覚的に確認しにくくすることができる防護盾を提供することにある。
【０００６】
【課題を解決するための手段】
上記の目的を達成するために、請求項１に記載の防護盾の発明は、透明な合成樹脂製の盾板本体と、同盾板本体の内面に取着固定された把持部とを備えるとともに、前記盾板本体の内面又は外面の少なくとも一部には、透明な合成樹脂製のフィルム材の一面に金属薄膜を積層して形成され、可視光線透過率が８〜４５％のハーフミラー膜を貼着したことを特徴とするものである。
【０００７】
請求項２に記載の防護盾の発明は、透明な合成樹脂製の盾板本体と、同盾板本体の内面に取着固定された把持部と、前記盾板本体の内面又は外面の少なくとも一部に貼着されたハーフミラー膜とを備え、同ハーフミラー膜は、透明な合成樹脂製のフィルム材の一面に金属薄膜を積層し、同金属薄膜を遮光材でマスキングしてエッチングすることにより、金属薄膜が除去されて形成された透明な光透過部と、残留する金属薄膜及び遮光材によって形成された遮光部とを有し、その可視光線透過率が８〜４５％であることを特徴とするものである。
【０００８】
【発明の実施の形態】
（第１実施形態）
以下、この発明の第１実施形態を、図面に基づいて詳細に説明する。
【０００９】
図１（ａ），（ｂ）に示すように、防護盾は、盾板本体１１と、同盾板本体１１の内面に取着固定された把持部１２とを備えている。使用者は、防護盾の把持部１２を手で握り、その前方に盾板本体１１を構えることにより、盾板本体１１の外面から加えられる刃物による刺突、鈍器による殴打、投石等の攻撃から身体を保護するようになっている。
【００１０】
前記盾板本体１１は、縦長四角形状をなす合成樹脂製の板材を幅方向の中央で外面側へ湾曲させることによって形成されており、使用者をその前方から覆うように構成されている。この盾板本体１１は、使用者から相手の動きを視覚的に確認することができるように透明であり、軽量で、かつ少なくとも刃物による刺突、鈍器による殴打、投石等の物理的攻撃に耐えられる強度を有している。さらに、盾板本体１１は、銃撃による攻撃にも耐えられる強度と難燃性を有するものが好ましい。従って、盾板本体１１に使用する合成樹脂には、透明で、軽量であり、耐衝撃性を有するとともに、表面硬度の高いものが使用される。
【００１１】
このような合成樹脂としては、ポリメチルメタクリレート等のアクリル樹脂、ポリサルホン系樹脂、ポリカーボネート、変性ポリフェニレンエーテル、ポリエーテルサルホン、ポリアリレート、ポリアミドイミド、ポリエーテルイミド、熱可塑性ポリイミド等の熱可塑性の非晶性樹脂が挙げられる。その他にも、尿素樹脂、エポキシ樹脂、フェノール樹脂、ウレタン樹脂、メラミン樹脂、シリコーン樹脂等の熱硬化性樹脂が挙げられる。なかでも、熱可塑性の非晶性樹脂は透明度及び強度が高いため好ましく、非晶性樹脂のなかでも、ポリカーボネートは、低成形収縮率で吸水率が小さく、寸法安定性が良好であり、耐衝撃性及び耐クリープ性（加熱時、加圧時における形状安定性）に優れ、自己消化性を有するため、より好ましい。
【００１２】
前記把持部１２は、棒材を曲げることによって横Ｕ字状をなすように形成され、ボルト等による螺着、あるいは接着、熱溶着等の方法で盾板本体１１の内面に接合され、取着固定されている。当該把持部１２は、使用者がこれを手で握って盾板本体１１を前面に構えるために設けられいる。従って、手で握ったときに盾板本体１１を支持できるような強度を有しているものであれば、合成樹脂、あるいは金属のいずれで形成してもよい。
【００１３】
図１（ａ）及び図２に示すように、前記盾板本体１１の外面の全面には、ハーフミラー膜１３が貼着されている。同ハーフミラー膜１３は、入射された可視光線のうち、その一部のみを透過させ、他は全て反射する機能を有している。このため、ハーフミラー膜１３を介して明るい箇所と暗い箇所とが存在する場合、明るい箇所からは、ハーフミラー膜１３が可視光線を反射する鏡となるため、暗い箇所が見えなくなる。これとは逆に、暗い箇所からは、ハーフミラー膜１３を透過した可視光線により、明るい箇所が見えるようになる。
【００１４】
前記盾板本体１１は透明であり、かつ使用者をその前方から覆うように外面側へ湾曲する形状に形成されている。つまり、防護盾の使用時において、使用者側となる盾板本体１１の内面側は、光が当たりにくいため暗く、相手側となる盾板本体１１の外面側は、光が当たりやすいため明るくなっている。従って、当該ハーフミラー膜１３を備える防護盾は、使用者からは相手の動きを視覚的に確認することができ、相手からは使用者の動きを視覚的に確認しにくくすることができるように構成されている。
【００１５】
同ハーフミラー膜１３は、具体的にその可視光線透過率が８〜４５％となるように形成されている。この可視光線透過率が８％未満の場合、ハーフミラー膜１３は、可視光線をほとんど透過させずに反射してしまい、使用者から相手の動きを視覚的に確認することができなくなる。可視光線透過率が４５％より高い場合、ハーフミラー膜１３は大半の可視光線を透過させてしまい、相手から使用者の動きを視覚的に確認されてしまう。
【００１６】
ここで、ハーフミラー膜１３の構成について説明する。
図３に示すように、ハーフミラー膜１３は、透明な合成樹脂製のフィルム材１４と、同フィルム材１４の裏面に積層された金属薄膜１５とを有している。さらに、同金属薄膜１５を挟んでフィルム材１４と対向するように、金属薄膜１５の裏面には粘着剤よりなる粘着層１６が積層されている。そして、当該ハーフミラー膜１３は、粘着層１６を介して前記盾板本体１１の外面に貼着されている。
【００１７】
前記フィルム材１４は、防護盾を構成した際に最も外面側に配設されており、盾板本体１１の外面を保護し、その透明性を維持する機能を有している。特に、盾板本体１１をポリカーボネートで形成した場合、同ポリカーボネートは耐摩擦性、摩耗性に劣るため、フィルム材１４が最も外面側に配設されるようにハーフミラー膜１３を貼着することが好ましい。従って、フィルム材１４を形成する合成樹脂には、透明であり、耐摩耗性、耐久性及び強度に優れるとともに、湾曲して曲面状をなす盾板本体１１の外面に貼着されることから柔軟性を有するものを使用することが好ましい。このような合成樹脂としては、ウレタン樹脂等の熱硬化性樹脂と、ポリエチレン、ポリプロピレン等のオレフィン系樹脂、ポリエチレンテレフタレート等のエステル系樹脂、アクリル樹脂、フッ素樹脂等の熱可塑性樹脂とが挙げられる。これらの中でも、ウレタン樹脂、エステル系樹脂及びアクリル樹脂は入手が容易であり、透明度が高いため、フィルム材１４としてより好ましい。
【００１８】
前記金属薄膜１５は、真空蒸着法又はスパッタリング法でフィルム材１４の一面にアルミニウム、クロム、スズ等の金属よりなる薄膜を積層することによって形成されている。同金属薄膜１５は、ハーフミラー膜１３の可視光線透過率を８〜４５％とするために設けられている。すなわち、金属薄膜１５は、盾板本体１１の外面側から内面側へ入射しようとする可視光線のうち、８〜４５％は透過させ、他は全て反射する機能を有している。従って、ハーフミラー膜１３の可視光線透過率を８〜４５％とするため、金属薄膜１５の厚みは、好ましくは０．０４〜０．０８μｍである。金属薄膜１５の厚みが０．０４μｍ未満の場合、可視光線透過率が４５％よりも高くなるおそれがあり、相手から使用者の動きを視覚的に確認されてしまうおそれがある。厚みが０．０８μｍよりも厚い場合、可視光線透過率が８％未満となるおそれがあり、使用者が相手の動きを視覚的に確認することができなくなるおそれがある。
【００１９】
前記粘着層１６は、硬化後もその防護楯の透明度を維持しつつ、曲面状をなす盾板本体１１の外面に対応することができるように、柔軟性を有する粘着剤により形成される。このような性質を有する粘着剤として、ゴム系、アクリル系等の透明な感圧接着剤が用いられる。また、感圧接着剤としては、基材を有しないもの、あるいは伸びのある基材を有するもののいずれを使用してもよいが、基材を有するものを使用する場合、同基材には透明なものを使用することが好ましい。
【００２０】
上記のフィルム材１４、金属薄膜１５及び粘着層１６により、ハーフミラー膜１３は形成されている。当該ハーフミラー膜１３は、全体の厚みが好ましくは４０〜２００μｍである。厚みが４０μｍ未満の場合、同ハーフミラー膜１３の耐摩擦性、耐久性及び強度が低下するため、ハーフミラー膜１３が傷ついたり、経時変化等によって、防護楯の透明度が低下し、使用者が相手の動きを視覚的に確認することができなくなるおそれがある。厚みが２００μｍを超えると、ハーフミラー膜１３を可視光線が透過しにくくなり、使用者が相手の動きを視覚的に確認しにくくなってしまう。
【００２１】
次に、防護楯の製造方法について説明する。
防護楯を製造するときには、まずハーフミラー膜１３が盾板本体１１の材料となる樹脂製板材に貼着される。その後、同樹脂製板材を加熱成形法、真空成形法等の方法で所定形状をなすように成形し、盾板本体１１を製造する。そして、製造された盾板本体１１に対し、ハーフミラー膜１３が設けられた面と反対の面、つまり内面に把持部１２を取着固定することによって、図１（ａ），（ｂ）に示したような防護楯が製造される。
【００２２】
同防護楯の製造においては、盾板本体１１を成形した後、ハーフミラー膜１３を貼着してもよいが、この場合、盾板本体１１に対してハーフミラー膜１３が位置ずれしたり、シワが形成されたりしないようにする必要がある。また、加熱成形法、真空成形法等の方法で樹脂製板材から盾板本体１１を成形するときにも、ハーフミラー膜１３の熱収縮率と盾板本体１１との熱収縮率の違いを考慮する必要がある。しかし、この場合には、熱収縮率の違いを考慮し、樹脂製板材に対するハーフミラー膜１３のサイズを調整することにより、熱収縮率の違いに対応することが可能である。
【００２３】
前記の第１実施形態によって発揮される効果について、以下に記載する。
・　実施形態の防護楯は、透明な合成樹脂製の盾板本体１１と、同盾板本体１１の内面に取着固定された把持部１２とを有している。この盾板本体１１が合成樹脂製であることから、防護楯は金属製のものと比較し、全体として軽量となっている。そして、当該盾板本体１１の外面にはハーフミラー膜１３が貼着されている。同ハーフミラー膜１３は、合成樹脂製のフィルム材１４の裏面に金属薄膜１５及び粘着層１６を順番に積層して形成されている。このハーフミラー膜１３は、明るい箇所から暗い箇所へと入射される可視光線のうち、８〜４５％は透過させ、他は全て反射させる機能を有する。また、前記盾板本体１１は、外面側へ湾曲する形状とされており、外面側は光が当たりやすく明るくなっており、内面側は光が当たりにくく、暗くなっている。従って、使用者側である内面からは相手の動きを視覚的に確認することができ、相手側である外面からは使用者の動きを視覚的に確認しにくくすることができる。
【００２４】
・　また、ハーフミラー膜１３は、粘着層１６を設けることによって、フィルム材１４が最も外面側に配設されるように盾板本体１１の外面に貼着されている。従って、透明な盾板本体１１の表面をフィルム材１４で保護することができ、その透明度を長期間にわたって維持することができる。
【００２５】
（第２実施形態）
以下、この発明の第２実施形態を、図面に基づいて詳細に説明する。なお、この第２実施形態においては前記第１実施形態と異なる点を中心に説明する。
【００２６】
第２実施形態の防護楯は、盾板本体１１及び把持部１２を備え、当該盾板本体１１の外面の全面にハーフミラー膜１３を貼着することによって構成されている。図４（ａ），（ｂ）に示すように、このハーフミラー膜１３は、フィルム材１４と、同フィルム材１４の裏面に形成された平面正六角形の多数の点状（ドットパターン状）をなす遮光部１５ａと、これら遮光部１５ａの間に形成された網目状をなす光透過部１８とを備えている。また、フィルム材１４の裏面には、遮光部１５ａ及び光透過部１８を裏面側から覆うように粘着層１６が設けられており、同粘着層１６を介して盾板本体１１の外面にハーフミラー膜１３が貼着されている。
【００２７】
ハーフミラー膜１３において、前記遮光部１５ａは、金属薄膜１５と、同金属薄膜１５の裏面に積層された遮光材１７とから形成されている。この金属薄膜１５は、前に挙げた第１実施形態の金属薄膜１５と同じものである。遮光材１７は、遮光性を有するインク又は塗料より形成されており、金属薄膜１５を透過しようとする可視光線を遮る機能を有する。同遮光材１７に使用するインク又は塗料は、不透明で遮光性を有する色調のものを使用することが好ましく、暗色系のインク又は塗料、なかでも黒色のインク又は塗料を使用することがより好ましい。
【００２８】
そして、同ハーフミラー膜１３は、相手側である外面から入射される可視光線に対し、遮光部１５ａでは入射を遮ってこれを反射し、光透過部１８では内面へと透過させるように構成されている。また、遮光部１５ａでは、使用者側である内面に黒色の遮光材１７が設けられており、内面から入射される可視光線は、遮光材１７に吸収されるように構成されている。つまり、このハーフミラー膜１３は、その外面においては入射される可視光線の一部のみを透過させて他を全て反射し、内面においては入射される可視光線のほぼ全てを吸収することにより、外面と内面との明暗差をより明確にする機能を有している。
【００２９】
このハーフミラー膜１３における可視光線透過率は、第１実施形態と同じく８〜４５％である。ハーフミラー膜１３の面積に対する光透過部１８の面積の割合を開口率とした場合、可視光線透過率を８〜４５％とするため、当該開口率は、５０〜９０％であることが好ましい。開口率が５０％未満の場合、可視光線透過率が８％未満となるおそれがあり、使用者が相手の動きを視覚的に確認することができなくなるおそれがある。開口率が９０％よりも高い場合、可視光線透過率が４５％よりも高くなるおそれがあり、相手から使用者の動きを視覚的に確認されてしまうおそれがある。
【００３０】
さて、上記のハーフミラー膜１３は、フィルム材１４の裏面全体に金属薄膜１５を積層した後、同金属薄膜１５を遮光材１７でマスキングしてエッチングすることにより、当該金属薄膜１５の一部を除去し、光透過部１８を形成することによって製造される。すなわち、まず積層された金属薄膜１５の裏面において、各１つが平面正六角形をなすように黒色インク又は塗料をドットパターン状に印刷又は塗布して遮光材１７を形成することにより、金属薄膜１５をマスキングする。次いで、酸性又はアルカリ性の薬液を塗布し、遮光材１７によってマスキングされた箇所以外の金属薄膜１５を除去する。すると、金属薄膜１５及び遮光材１７がドットパターン状に残留して遮光部１５ａが形成されるとともに、各遮光部１５ａの間では、透明なフィルム材１４の裏面が外部に露出されることにより、網目状をなす光透過部１８が形成される。その後、フィルム材１４の裏面全体に粘着剤が塗布されることによって粘着層１６が形成され、ハーフミラー膜１３が製造される。そして、同ハーフミラー膜１３は、第１実施形態と同様に盾板本体１１の外面に貼着され、さらに同盾板本体１１の内面に把持部１２が取着されて防護盾が形成される。
【００３１】
前記の第２実施形態によって発揮される効果について、以下に記載する。
・　第２実施形態の防護盾のハーフミラー膜１３は、フィルム材１４の裏面にドットパターン状に形成された遮光部１５ａと、同遮光部１５ａの間で網目状に形成された光透過部１８と、粘着層１６とから構成されている。このハーフミラー膜１３は、その外面においては入射される可視光線の一部のみを光透過部１８で透過させ、他は全て遮光部１５ａで遮り、反射するとともに、内面においては入射される可視光線を遮光部１５ａの遮光材１７で吸収している。従って、ハーフミラー膜１３の外面と内面とで明暗差を明確なものとすることができ、使用者側である内面からは相手の動きを良好に確認することができ、相手側である外面からは使用者の動きをさらに確認しにくくすることができる。
【００３２】
・　また、遮光材１７は、暗色系の色調をなす黒色のインク又は塗料より形成されている。従って、内面において入射される可視光線をより確実に吸収することができ、外面と内面の明暗差をさらに明確なものとすることができる。
【００３３】
なお、本実施形態は、次のように変更して具体化することも可能である。
・　各実施形態では、盾板本体１１の外面の全面にハーフミラー膜１３を貼着したが、これに限らず、外面の一部にハーフミラー膜１３を貼着するように構成してもよい。例えば、防護楯を構えた際、使用者の目と対応する位置にはハーフミラー膜１３を貼着せずに透明のままとしたり、あるいは、使用者の上肢と対応する位置のみにハーフミラー膜１３を貼着したり等してもよい。
【００３４】
・　各実施形態では盾板本体１１の外面にハーフミラー膜１３を貼着したが、同ハーフミラー膜１３を盾板本体１１の内面に貼着してもよい。この場合、ハーフミラー膜１３のフィルム材１４を熱溶着、超音波接着したり等して盾板本体１１の内面に融着してもよいし、あるいはフィルム材１４の裏面側に設けられた粘着層１６を介して貼着してもよい。
【００３５】
・　盾板本体１１を支持することができるのであれば、把持部１２は２つ以上取付けてもよい。また、盾板本体１１の内面において、使用者の前腕に盾板本体１１を固定するための固定ベルトを取付け、使用者が手で把持部１２を把持しつつ、その前腕に盾板本体１１を固定することができるように構成してもよい。
【００３６】
・　盾板本体１１は、縦長四角板状に限らず、丸板状、正方形状等としてもよい。
・　第２実施形態で遮光部１５ａのそれぞれの形状は正六角形に限らず、丸形、正方形、長方形、菱形、楕円形等としてもよい。また、例えば光透過部１８をドットパターン状に形成し、遮光部１５ａを網目状に形成してもよい。
【００３７】
・　遮光材１７を形成する遮光性のインク又は塗料は、黒色に限らず、濃灰色、濃紺色、茶色等のような暗色系又は濃色系の色調としてもよいし、あるいは遮光性を有するのであれば、赤色、黄色、水色、白色等の明色系又は淡色系の色調としてもよい。
【００３８】
さらに、前記実施形態より把握できる技術的思想について以下に記載する。
（１）　前記盾板本体を、その外面側へ膨らむように湾曲させたことを特徴とする請求項１又は請求項２に記載の防護盾。このように構成した場合、相手側となる盾板本体の外面側は光が当たりやすくなるため明るく、使用者側となる内面側は光が当たりにくくなるため暗くなり、相手側から使用者側の行動をさらに認識しにくくすることができる。
【００３９】
（２）　前記金属薄膜を挟んでフィルム材と対向するように、金属薄膜の一面には粘着剤よりなる粘着層を積層して形成し、同粘着層を介してハーフミラー膜を、そのフィルム材が最も外面側に配設されるように盾板本体の外面に貼着したことを特徴とする請求項１に記載の防護盾。このように構成した場合、盾板本体の表面をフィルム材で保護することができ、その透明度を長期間にわたって維持することができる。
【００４０】
（３）　前記遮光部及び光透過部を覆うようにフィルム材の一面には粘着剤よりなる粘着層を形成し、同粘着層を介してハーフミラー膜を、そのフィルム材が最も外面側に配設されるように盾板本体の外面に貼着したことを特徴とする請求項２に記載の防護盾。このように構成した場合、盾板本体の表面をフィルム材で保護することができ、その透明度を長期間にわたって維持することができる。
【００４１】
（４）　前記遮光材を暗色系の色調としたことを特徴とする請求項２に記載の防護盾。このように構成した場合、内面側から入射される光を着色層で吸収することができ、ハーフミラー膜の内面と外面との明暗差をより明確なものとすることができる。
【００４２】
（５）　前記ハーフミラー膜の面積に対する光透過部の面積の割合を開口率とし、同開口率が５０〜９０％であることを特徴とする請求項２に記載の防護盾。このように構成した場合、可視光線透過率を確実に８〜４５％とすることができる。
【００４３】
（６）　前記盾板本体を、熱可塑性の非晶性樹脂で形成したことを特徴とする請求項１又は請求項２に記載の防護盾。このように構成した場合、盾板本体の透明度及び強度を高くすることができる。
【００４４】
（７）　前記金属薄膜を、アルミニウム、クロム又はスズのいずれかの金属を真空蒸着法又はスパッタリング法でフィルム材の一面に積層することによって形成したことを特徴とする請求項１又は請求項２に記載の防護盾。このように構成した場合、ハーフミラー膜を簡易に製造することができる。
【００４５】
（８）　透明な合成樹脂製のフィルム材に金属薄膜を積層した後、同金属薄膜を遮光性を有するインク又は塗料でマスキングしてエッチングすることにより、フィルム材の一面で金属薄膜が除去されて形成された透明な光透過部と、金属薄膜が残留して形成された遮光部とを有するハーフミラー膜を形成し、同ハーフミラー膜を透明な合成樹脂製の盾板本体の内面又は外面上に貼着し、さらに同盾板本体の内面に把持部を取着して形成する防護盾の製造方法。このように構成した場合、使用者からは相手の動きを視覚的に確認することができ、相手からは使用者の動きを視覚的に確認しにくくすることができる防護盾を簡易に製造することができる。
【００４６】
（９）　前記ハーフミラー膜は、金属薄膜を遮光材でマスキングしてエッチングすることにより、ドットパターン状に残留する金属薄膜及び遮光材によって形成された遮光部と、金属薄膜が除去されることにより網目状に形成された透明な光透過部とを有することを特徴とする請求項１に記載の防護盾。このように構成した場合、ハーフミラー膜の外面と内面とで明暗差を明確なものとすることができ、使用者側である内面からは相手の動きを良好に確認することができ、相手側である外面からは使用者の動きをさらに確認しにくくすることができる。
【００４７】
【発明の効果】
以上詳述したように、この発明によれば、次のような効果を奏する。
請求項１又は請求項２に記載の発明によれば、使用者からは相手の動きを視覚的に確認することができ、相手からは使用者の動きを視覚的に確認しにくくすることができる。
【図面の簡単な説明】
【図１】（ａ）は実施形態の防護楯を外面側から見た状態を示す斜視図、（ｂ）は防護楯を内面側から見た状態を示す斜視図。
【図２】防護楯を示す一部を拡大した断面図。
【図３】第１実施形態のハーフミラー膜を示す断面図。
【図４】（ａ）は第２実施形態のハーフミラー膜を示す断面図、（ｂ）は第２実施形態のハーフミラー膜を内面側から見た状態を示す正面図。
【符号の説明】
１１…盾板本体、１２…把持部、１３…ハーフミラー膜、１４…フィルム材、１５…金属薄膜、１５ａ…遮光部、１７…遮光材、１８…光透過部。
【図１】
2004037033.tif 000003
【図２】
2004037033.tif 000004
【図３】
2004037033.tif 000005
【図４】
2004037033.tif 000006